(57)【要約】      （修正有）【課題】質量中心がラバーシート中心に近接するラケットを提供する。【解決手段】ラケットの質量中心２０１を前に移し、ラバーシート中心４４１に近接させ、この質量中心が高い球撃ち密度領域内に進入させることが出来るようにした。ラケットの質量中心２０１をラバーシート中心４４１に近接でき、高い攻撃力や防衛力を持ち、球撃ち時の手が振動される感覚を減少させる効果がある。【選択図】図８
0003108345.tif 000002
【実用新案登録請求の範囲】
【請求項１】
ラケットのブレードはヘッドを有し、ヘッドは前に幅広く後は徐々に狭くなり、かつ、ヘッドの最も幅広い両点の間の連接線を、ヘッドの前半部に位置させたことを特徴とする、
質量中心がラバーシート中心に近接するラケット。
【請求項２】
前記ブレードはグリップをさらに備えることを特徴とする、
請求項１記載のラケット。
【請求項３】
前記ブレードのグリップは筆握り式であり、前記筆握り式のグリップの後端には欠き凹部が形成され、グリップの重量を軽くさせることを特徴とする、
請求項２記載のラケット。
【請求項４】
前記ブレードのグリップは手握り式であり、前記手握り式のグリップはさらに孔が形成されることを特徴とする、
請求項２記載のラケット。
【請求項５】
前記ブレードのグリップは、その孔が軸方向の単一口径の孔か軸方向の多口径の孔であることを特徴とする、
請求項４記載のラケット。
【請求項６】
前記ブレードのヘッドは、その前端に位置する幅広辺部と、その後端に位置する狭い辺部と、この幅広、狭辺の両端の間に接続される前広く後ろは狭くなる側辺とで、ヘッドの形状を規定することを特徴とする、
請求項１記載のラケット。
【考案の詳細な説明】
【技術分野】
【０００１】
本考案は、質量中心がラバーシート中心に近接するラケットに関わるもので、とくに、その質量中心を前に移し、ラバーシート中心に近接させ、この質量中心が高い球撃ち密度領域内に進入させることが出来るようになり、その攻撃力や防衛力を高めて、球撃ち時の手が振動される感覚を減少させる質量中心がラバーシート中心に近接するラケットに関わるものである。
【背景技術】
【０００２】
図１〜図４に示すように、従来のラケット（ｒａｃｋｅｔ）は、そのヘッド（ｈｅａｄ）１２、２２の形状が方形（ラケット１）に近似しているか、円形（ラケット２）に近似しているかのような形状である。ラケット１、２はブレード（ｂｌａｄｅ）１１、２１とラバーシート（ｒｕｂｂｅｒ  ｓｈｅｅｔ）１４、２４とを含み、このブレード１１、２１はヘッド１２、２２と喉部１０２、２０２とグリップ１３、２３とを備え、、ラバーシート１４、２４はそのヘッド１２、２２に接着される。その中には、ヘッド１２、２２の最も幅広い両点の間の連接線（即ち、ヘッド両側最も幅広い点の間の連接線）は、ほぼヘッド１２、２２の後半部の前端に位置し、ラケットの質量中心１０１、２０１はほぼラバーシート１４、２４の後端の三分の一の部分に位置する。
【考案の開示】
【考案が解決しようとする課題】
【０００３】
超多数の撃ち点は共にこのヘッド１２、２２の前部及び中部（即ち、高い球撃ち密度領域は前面の二つのＬ／３のところに位置する）位置し、この両部に撃ち出されたボールは、ラケットの質量中心１０１、２０１に遠く離れるため、物理的な面で見ると、ラケット１、２に比較的大きなトルクが発生られ、そのトルクが大きくなるほど手が振動される感覚が大きくなり、かつ、球撃ちパワーの消費も大きくなり、そのため、高いパワーの攻撃ボールを撃つことにも必ず影響され、良い球撃ち触感と球撃ち楽しさも失うことになる。
【０００４】
そこで、どうすればラケット１、２のラケット質量中心１０１、２０１を高い球撃ち密度領域内（例えば、さらに、図１に示すラバーシート中心１４１に近接させる）に進入出来るのが、本考案の創作者にとって、克服並びに解決しようとする課題である。
【０００５】
本考案の質量中心がラバーシート中心に近接するラケットの目的は、その質量中心をラバーシート中心に有効に近接させることであり、即ち、高い球撃ち密度領域内に進入させることによって、高いパワーのボールをもっと多く撃ってるようにその攻撃力を高めて、遠いところでボール受けを逃しやすい機会を減少させ防衛力を高めて、並びに、球撃ち時の手が振動される感覚を減少させ、ボールに対しよい接触感をさらに増加させる。
【課題を解決するための手段】
【０００６】
前記目的を達成する為、本考案は、ラケットのブレードはヘッドを有し、ヘッドは前に幅広く後は徐々に狭くなり、かつ、ヘッドの最も幅広い両点の間の連接線は、ヘッドの前半部に位置する質量中心がラバーシート中心に近接するラケットを提供する。
【考案を実施するための最良の形態】
【０００７】
本考案の特徴及び技術内容を更に理解させるため、以下の本考案に係わる詳細な説明及び添付図面を参考にできる。
【０００８】
図５〜図９を参照すると、本考案の質量中心がラバーシート中心に近接するラケットは、その図５〜図７に示すものが、従来の方形ラケットから改良された本考案の第１種のラケット３であり、その図８〜図９に示すものが、従来の円形ラケットから改良された本考案の第２種のラケット４である。
【０００９】
図６、図８を参照すると、本考案の二種のラケット３、４は、ブレード３１、４１とラバーシート３４、４４とを含み、このブレード３１、４１はヘッド３２、４２と喉部３０２、４０２とグリップ３３、４３とを備え、ラバーシート３４、４４はそのヘッド３２、４２に接着され、その中には、ヘッド３２、４２とグリップ３３、４３との間に位置される部分は、ラケット３、４の喉部３０２、４０２である。
【００１０】
図５、図８の従来と本考案の比較図を参照すると、ラケット３、４のラケット質量中心３０１、４０１をラバーシート中心３４１、４４１に近接させるため、球撃ち密度が低いヘッド３２、４２の後端両側角落部の除去部３２２、４２２をカットし、身に遠いところでボール受けを逃しやすいヘッド３２、４２の前端両側角落部を幅広くして両幅拡大部３２１、４２１（即ち、斜線領域）が形成されるので、各ヘッド３２、４２の形状が梯形のようになる。その中には、各ヘッド３２、４２の前端は弧状の幅広辺部（図８のように）であり、この弧状或は他の幅広辺部の最も幅広い両点の間の連接線は、ヘッド３２、４２の前半部に位置し、この最も幅広い両点は後に向かって徐々に狭くなって喉部３０２、４０２まで至ってヘッド３２、４２の両側辺部を形成し、ヘッド３２、４２の後端に狭い辺部が形成されるので、幅広辺部から狭い辺部までは徐々に狭くなる形のような梯形になる
。方形を梯形にまたは円形を梯形に改良することより、ラケット３、４或はブレード３１、４１の全体の形状をほぼ前広く後は狭くなる三角形になるので、ラケット３、４のラケット質量中心３０１、４０１をラバーシート中心３４１、４４１に近接できる。
【００１１】
各ラケット３、４のグリップ３３、４３を軽量化にすれば、さらに、本考案の目的を達成出来る。図７に示す第１種のラケット３の筆握り式のグリップ３３と図８、図９のに示す第２種のラケット４の手握り式のグリップ４３を参照すると、筆握り式のグリップ３３の尾端部に部分的に除去し欠き凹部３３１が形成され、また、手握り式のグリップ４３の尾端部に軸方向に孔４３１が掘られており、孔４３１が単一の孔か多数の多口径孔である
。このようにして、各グリップ３３、４３の重量を軽くさせ、されにラケット３、４のラケット質量中心３０１、４０１をラバーシート中心３４１、４４１に近接できる。
【００１２】
言い換えれば、ヘッド３２、４２を前広く後は狭くなる梯形のように変更すると共に、各グリップ３３、４３の重量を軽くさせる場合に、ラケット３、４のラケット質量中心３０１、４０１を従来のラケット質量中心１０１、２０１よりさらにラケットラバーシート中心３４１、４４１に近接できる。図７、図９を参照すると、ヘッド３２、４２（またはラバーシート３４、４４）を三つ（三つのＬ／３）に等量に分けて前、中、後に区別した後、本考案の二種のラケット３、４のラケット質量中心３０１、４０１は、中部の高い球撃ち密度領域内に位置される一方、従来のラケット質量中心１０１（２０１）はその領域以外に位置される事が分かる。
【００１３】
以上のように、本考案の構造は次の各効果ができる。
【００１４】
（１）確かにラケット質量中心３０１、４０１をラバーシート中心３４１、４４１にさらに近接でき、プレヤーは意識上にラバーシート中心３４１、４４１で球を撃つため、その近傍は比較的に高い球撃ち密度領域と比較的に高い球撃ち数領域に属し、すなわち、そのラケット質量中心３０１、４０１は丁度比較的に高い球撃ち密度領域と比較的に高い球撃ち数領域に位置できる。
【００１５】
（２）ラケット質量中心３０１、４０１は共に前に移されるため、そのラケットを振るときのトルクが増加できる。
【００１６】
（３）ラケット質量中心３０１、４０１は比較的に高い球撃ち密度領域と比較的に高い球撃ち数領域（ラケットを振るときのトルクも増加）に位置されたため、ラケット質量中心３０１、４０１の近傍にもっと多くパワー高い球を撃ち出され、さらに攻撃力を持ち、球撃ち楽しさも増える一方、このような経済的又は便利な卓球運動雰囲気を上昇出来る。
【００１７】
（４）また、ヘッド３２、４２の前半部の面積は拡大されるため、身に遠いところでボール受けを逃し難く防衛力を高められる。
【００１８】
（５）球撃ち点は全てラケット質量中心３０１、４０１の近傍に集まられるため、球撃ち時に比較的に回転が出来なくなり、即ち、球撃ち時の手が振動される感覚を減少できる。
【００１９】
（６）ラケット３、４の前端は幅広辺部であり、扇子で作った風にたとえれば、従来の方形或は円形のラケットより大きく、プレヤー又は使用者が球を撃つときの扇風解熱に効果がある。
【００２０】
（７）本考案のラケット３、４（又はブレード３１、４１）の全体の形状はほぼ三角形であるため、ラケットを作るときに、その外形は交互反対に配列しカットされ、材料消費が少なく、必要なプレート材は従来の方形或は円形のラケットより約１／６を節約でき、木材の量が減少出来、環境要求にふさわしいのである。
【００２１】
また、前記に開示されたそれぞれの具体的な構成は、単に本考案の好ましい実施例に過ぎなく、本考案の特徴を局限するものではなく、いずれの当該分野における通常の知識を有する専門家が本考案の分野の中で、適当に変更や修飾などを実施できるが、それらの実施のことが本考案の主張範囲内に納入されるべきことは言うまでもない。
【図面の簡単な説明】
【００２２】
【図１】従来の方形ラケットの正面図である。
【図２】従来の方形ラケットの側面図である。
【図３】従来の円形ラケットの正面図である。
【図４】従来の円形ラケットの側面図である。
【図５】本考案の第１種のラケットと従来の方形ラケットとの比較用正面図である。
【図６】本考案の第１種のラケットの正面図である。
【図７】本考案の第１種のラケットの図６による側面図である。
【図８】本考案の第２種のラケットと従来の円形ラケットとの比較用正面図である。
【図９】本考案の第２種のラケットの側面図である。
【符号の説明】
【００２３】
１０１、２０１    ラケットの質量中心
３    第１種のラケット
４    第２種のラケット
３１、４１    ブレード
３４、４４    ラバーシート
３２、４２    ヘッド
３０２、４０２    喉部
３３、４３    グリップ
３０１、４０１    ラケット質量中心
３４１、４４１    ラバーシート中心
３２２、４２２    除去部
３２１、４２１    幅拡大部（即ち、斜線領域）
３３１    欠き凹部
４３１    孔
【図１】
0003108345.tif 000003
【図２】
0003108345.tif 000004
【図３】
0003108345.tif 000005
【図４】
0003108345.tif 000006
【図５】
0003108345.tif 000007
【図６】
0003108345.tif 000008
【図７】
0003108345.tif 000009
【図８】
0003108345.tif 000010
【図９】
0003108345.tif 000011